(57)【要約】    【課題】  網状体を、対象物等から前方に離隔した位置に容易且つ確実に直立状に支持し得る支持体及びその支持体により網状体を直立状又は急傾斜状に支持した網状体支持構造の提供。    【解決手段】  外壁Ａに固定された支持体Ｂにおける一対の前部立板部Ｂ４の間に中央縦部材Ｃａ２が位置するようにして第２横部材Ｃｂ２及び第４横部材Ｃｂ４を一対の前部立板部Ｂ４の上方から底板部Ｂ２上へ移動させると同時に中央縦部材Ｃａ２を各前後方向切欠部Ｂ３の切欠底部Ｂ３ａに移動させる。更に、各上方離脱防止突片部Ｂ６を、外方突出状態から、括れ部Ｂ５において後向きに折り曲げて後方に突出した状態とすることにより、第２横部材Ｃｂ２及び第４横部材Ｃｂ４の上側は、後方突出状態の各上方離脱防止突片部Ｂ６によって上方離脱が防がれ、網状体Ｃが上下一対の支持体Ｂにより前部立板部Ｂ４から所要の前方離隔距離を隔てた位置に直立状に支持される。【選択図】      図９
2017035027.tif 000002
【特許請求の範囲】
【請求項１】
対象物に対し固定された状態で網状体を直立状に支持し得る支持体であって、
対象物に固定される又は固定された被固定部と、その被固定部から所要の前方離隔距離を隔てた位置に前記網状体の所定箇所を支持するための網状体支持部を有し、
その網状体支持部は、
直立状の網状体の前記所定箇所における被支持部を上向きに支持するための上向き支持部と、
その上向き支持部により網状体の前記所定箇所における被支持部が上向きに支持された状態において、
網状体の前記所定箇所における被支持部を前後方向に保持するための前後方向保持部、
網状体の前記所定箇所における被支持部を水平方向両側方向に保持するための両側方向保持部、及び、
網状体の前記所定箇所における被支持部の上方離脱を防ぎ得るように変形し得ると共にその変形状態を維持し得、前記変形前には、前記所定箇所における被支持部が上向き支持部に上向きに支持されるように上方から配置されることを妨げない上方離脱防止部を有することを特徴とする支持体。
【請求項２】
対象物における１又は２以上の位置にそれぞれ固定された１又は２以上の支持体により網状体が直立状又は急傾斜状に支持されてなる網状体支持構造であって、
前記各支持体は、対象物に固定された被固定部と、前記直立状又は急傾斜状の網状体における各所定箇所を前記被固定部から所要の前方離隔距離を隔てた位置において支持するための網状体支持部を有し、
前記網状体支持部は、
前記所定箇所における被支持部を上向きに支持するための上向き支持部と、
その上向き支持部により網状体の前記所定箇所における被支持部が上向きに支持された状態において、
前記所定箇所における被支持部を前後方向に保持するための前後方向保持部、
前記所定箇所における被支持部を水平方向両側方向に保持するための両側方向保持部、及び、
前記所定箇所における被支持部の上方離脱を防ぎ得るように変形し得ると共にその変形状態を維持し得、前記変形前には、前記所定箇所における被支持部が上向き支持部に上向きに支持されるように上方から配置されることを妨げない上方離脱防止部を有し、
対象物における１又は２以上の位置にそれぞれ固定された前記１又は２以上の支持体において、
前記各上向き支持部により前記各所定箇所における被支持部が上向きに支持され、
前記各前後方向保持部により前記各所定箇所における被支持部が前後方向に保持され、
前記各両側方向保持部により前記各所定箇所における被支持部が水平方向両側方向に保持され、
前記各上方離脱防止部が変形してその変形状態を維持することにより前記各所定箇所における被支持部の上方離脱が防がれることにより、
前記１又は２以上の支持体によって前記網状体が直立状又は急傾斜状に支持されていることを特徴とする網状体支持構造。
【請求項３】
上記直立状又は急傾斜状の網状体における各所定箇所が、
上記上向き支持部により支持される部分と、
上記前後方向保持部により前後方向に保持される部分と、
上記両側方向保持部により水平方向両側方向に保持される部分と、
上記上方離脱防止部が変形してその変形状態を維持することにより上方離脱が防がれる部分を、
互いに別個の部分として又は何れか同士が重複した部分として有する請求項２記載の網状体支持構造。
【請求項４】
上記網状体が、全部又は主要部が直交格子状をなす縦部と横部からなる、形態維持性を有する平板状体であり、
上記全て又は一部の所定箇所は、前記縦部と横部が直交状に交差した箇所であり、
上記両側方向保持部により水平方向両側方向に保持される部分、及び、上記前後方向保持部により前向きに保持される部分が、前記所定箇所における縦部であり、
上記上向き支持部により上向きに支持される部分、上記前後方向保持部により後向きに保持される部分、及び、上記上方離脱防止部が変形してその変形状態を維持することにより上方離脱が防がれる部分が、前記所定箇所における横部である請求項３記載の網状体支持構造。
【発明の詳細な説明】
【技術分野】
【０００１】
本発明は、網状体を、鉛直面を有する対象物等に対し直立状に支持し得る支持体及びその支持体により網状体を直立状又は急傾斜状に支持した網状体支持構造に関する。
【背景技術】
【０００２】
特開２０１４−３６６２０号公報には、緑化用資材の緑化面を覆うべき付着型植物の生育登攀を支援する登攀助材として、保形材、ヤシ殻マット及び立体金網を備えたものが示されている。
【０００３】
この登攀助材における立体金網は、登攀する付着型植物を支えることができるものであるが、登攀助材用として特別に製作されるものであり、製造コストが嵩むと共に、立体であるために、保管や運搬等の取り扱いにおいても嵩張る点がある。
【０００４】
また、建築物の外壁等の対象物に対し、特に地上から高い位置において立体金網を固定する作業は、煩雑さを免れない点がある。
【先行技術文献】
【特許文献】
【０００５】
【特許文献１】特開２０１４−３６６２０号公報
【発明の概要】
【発明が解決しようとする課題】
【０００６】
本発明は、汎用のワイヤメッシュ等の平板状の網状体を始めとする網状体を、鉛直面を有する対象物等から前方に離隔した位置に、容易且つ確実に直立状に支持し得る支持体及びその支持体により網状体を直立状又は急傾斜状に支持した、容易且つ確実に得られる網状体支持構造を提供することにある。
【課題を解決するための手段】
【０００７】
本発明の支持体及び網状体支持構造は、次のように表すことができる。
【０００８】
(1) 対象物に対し固定された状態で網状体を直立状に支持し得る支持体であって、
対象物に固定される又は固定された被固定部と、その被固定部から所要の前方離隔距離を隔てた位置に前記網状体の所定箇所を支持するための網状体支持部を有し、
その網状体支持部は、
直立状の網状体の前記所定箇所における被支持部を上向きに支持するための上向き支持部と、
その上向き支持部により網状体の前記所定箇所における被支持部が上向きに支持された状態において、
網状体の前記所定箇所における被支持部を前後方向に保持するための前後方向保持部、
網状体の前記所定箇所における被支持部を水平方向両側方向に保持するための両側方向保持部、及び、
網状体の前記所定箇所における被支持部の上方離脱を防ぎ得るように変形し得ると共にその変形状態を維持し得、前記変形前には、前記所定箇所における被支持部が上向き支持部に上向きに支持されるように上方から配置されることを妨げない上方離脱防止部を有することを特徴とする支持体。
【０００９】
対象物に対し固定された状態の支持体における、対象物に固定された被固定部から所要の前方離隔距離を隔てた位置に、網状体支持部により網状体の所定箇所を支持し、網状体を被固定部から所要の前方離隔距離を隔てた位置に直立状に容易且つ確実に支持することができる。
【００１０】
すなわち、上方離脱防止部が変形前である状態において、直立状の網状体の所定箇所における被支持部を、上向き支持部に上向きに支持されるように上方から配置することにより、
上向き支持部により前記所定箇所における被支持部が上向きに支持され、
前記前後方向保持部により前記所定箇所における被支持部が前後方向に保持され、
前記両側方向保持部により前記所定箇所における被支持部が水平方向両側方向に保持され、
次いで前記上方離脱防止部を変形させることにより、その変形状態が維持されて前記所定箇所における被支持部の上方離脱が防がれ、
汎用のワイヤメッシュ等の平板状の網状体であっても、被固定部から所要の前方離隔距離を隔てた位置にその網状体を直立状に容易且つ確実に支持することができる。なお、網状体を急傾斜状に支持することも同様にして容易且つ確実に行い得る。
【００１１】
(2) 対象物における１又は２以上の位置にそれぞれ固定された１又は２以上の支持体により網状体が直立状又は急傾斜状に支持されてなる網状体支持構造であって、
前記各支持体は、対象物に固定された被固定部と、前記直立状又は急傾斜状の網状体における各所定箇所を前記被固定部から所要の前方離隔距離を隔てた位置において支持するための網状体支持部を有し、
前記網状体支持部は、
前記所定箇所における被支持部を上向きに支持するための上向き支持部と、
その上向き支持部により網状体の前記所定箇所における被支持部が上向きに支持された状態において、
前記所定箇所における被支持部を前後方向に保持するための前後方向保持部、
前記所定箇所における被支持部を水平方向両側方向に保持するための両側方向保持部、及び、
前記所定箇所における被支持部の上方離脱を防ぎ得るように変形し得ると共にその変形状態を維持し得、前記変形前には、前記所定箇所における被支持部が上向き支持部に上向きに支持されるように上方から配置されることを妨げない上方離脱防止部を有し、
対象物における１又は２以上の位置にそれぞれ固定された前記１又は２以上の支持体において、
前記各上向き支持部により前記各所定箇所における被支持部が上向きに支持され、
前記各前後方向保持部により前記各所定箇所における被支持部が前後方向に保持され、
前記各両側方向保持部により前記各所定箇所における被支持部が水平方向両側方向に保持され、
前記各上方離脱防止部が変形してその変形状態を維持することにより前記各所定箇所における被支持部の上方離脱が防がれることにより、
前記１又は２以上の支持体によって前記網状体が直立状又は急傾斜状に支持されていることを特徴とする網状体支持構造。
【００１２】
対象物における１又は２以上の位置にそれぞれ固定された１又は２以上の支持体における、対象物に固定された被固定部から所要の前方離隔距離を隔てた位置に、網状体支持部により網状体の所定箇所を支持し、網状体を被固定部から所要の前方離隔距離を隔てた位置に直立状又は急傾斜状に容易且つ確実に支持することができる。
【００１３】
すなわち、各支持体の上方離脱防止部が変形前である状態において、直立状又は急傾斜状の網状体の各所定箇所における被支持部を、各上向き支持部に上向きに支持されるように上方から配置することにより、
各上向き支持部により前記各所定箇所における被支持部が上向きに支持され、
前記各前後方向保持部により前記各所定箇所における被支持部が前後方向に保持され、
前記各両側方向保持部により前記各所定箇所における被支持部が水平方向両側方向に保持され、
次いで前記各上方離脱防止部を変形させることにより、その変形状態が維持されて前記各所定箇所における被支持部の上方離脱が防がれ、
汎用のワイヤメッシュ等の平板状の網状体であっても、被固定部から所要の前方離隔距離を隔てた位置にその網状体が直立状又は急傾斜状に支持された網状体支持構造が容易且つ確実に得られる。
【００１４】
(3) 上記直立状又は急傾斜状の網状体における各所定箇所が、
上記上向き支持部により支持される部分と、
上記前後方向保持部により前向きに保持される部分と、
上記前後方向保持部により後向きに保持される部分と、
上記両側方向保持部により水平方向両側方向に保持される部分と、
上記上方離脱防止部が変形してその変形状態を維持することにより上方離脱が防がれる部分を、
互いに別個の部分として又は何れか同士が重複した部分として有する上記(2)記載の網状体支持構造。
【００１５】
(4) 上記網状体が、全部又は主要部が直交格子状をなす縦部と横部からなる、形態維持性を有する平板状体であり、
上記全て又は一部の所定箇所は、前記縦部と横部が直交状に交差した箇所であり、
上記両側方向保持部により水平方向両側方向に保持される部分、及び、上記前後方向保持部により前向きに保持される部分が、前記所定箇所における縦部であり、
上記上向き支持部により上向きに支持される部分、上記前後方向保持部により後向きに保持される部分、及び、上記上方離脱防止部が変形してその変形状態を維持することにより上方離脱が防がれる部分が、前記所定箇所における横部である上記(3)記載の網状体支持構造。
【発明の効果】
【００１６】
本発明の支持体によれば、対象物に対し固定された状態の支持体における、対象物に固定された被固定部から所要の前方離隔距離を隔てた位置に、網状体支持部により網状体の所定箇所を支持し、網状体を被固定部から所要の前方離隔距離を隔てた位置に直立状に容易且つ確実に支持することができる。
【００１７】
すなわち、上方離脱防止部が変形前である状態において、直立状の網状体の所定箇所における被支持部を、上向き支持部に上向きに支持されるように上方から配置することにより、
上向き支持部により前記所定箇所における被支持部が上向きに支持され、
前記前後方向保持部により前記所定箇所における被支持部が前後方向に保持され、
前記両側方向保持部により前記所定箇所における被支持部が水平方向両側方向に保持され、
次いで前記上方離脱防止部を変形させることにより、その変形状態が維持されて前記所定箇所における被支持部の上方離脱が防がれ、
汎用のワイヤメッシュ等の平板状の網状体であっても、被固定部から所要の前方離隔距離を隔てた位置にその網状体を直立状に容易且つ確実に支持することができる。
【００１８】
本発明の網状体支持構造においては、対象物における１又は２以上の位置にそれぞれ固定された１又は２以上の支持体における、対象物に固定された被固定部から所要の前方離隔距離を隔てた位置に、網状体支持部により網状体の所定箇所を支持し、網状体を被固定部から所要の前方離隔距離を隔てた位置に直立状又は急傾斜状に容易且つ確実に支持することができる。
【００１９】
すなわち、各支持体の上方離脱防止部が変形前である状態において、直立状又は急傾斜状の網状体の各所定箇所における被支持部を、各上向き支持部に上向きに支持されるように上方から配置することにより、
各上向き支持部により前記各所定箇所における被支持部が上向きに支持され、
前記各前後方向保持部により前記各所定箇所における被支持部が前後方向に保持され、
前記各両側方向保持部により前記各所定箇所における被支持部が水平方向両側方向に保持され、
次いで前記各上方離脱防止部を変形させることにより、その変形状態が維持されて前記各所定箇所における被支持部の上方離脱が防がれ、
汎用のワイヤメッシュ等の平板状の網状体であっても、被固定部から所要の前方離隔距離を隔てた位置にその網状体が直立状又は急傾斜状に支持された網状体支持構造が容易且つ確実に得られる。
【図面の簡単な説明】
【００２０】
【図１】上方離脱防止突片部が外方突出状態である支持体の斜視図である。
【図２】上方離脱防止突片部が外方突出状態である支持体の平面図である。
【図３】上方離脱防止突片部が後方突出状態である支持体の斜視図である。
【図４】上方離脱防止突片部が後方突出状態である支持体の平面図である。
【図５】上方離脱防止突片部が外方突出状態である支持体に網状体を支持した状態の拡大斜視図である。
【図６】上方離脱防止突片部が外方突出状態である支持体に網状体を支持した状態の要部拡大正面図である。
【図７】上方離脱防止突片部が外方突出状態である支持体に網状体を支持した状態のVII−VII要部拡大断面図である。
【図８】支持体の上方離脱防止突片部が後方突出状態である網状体支持構造の正面図である。
【図９】支持体の上方離脱防止突片部が後方突出状態である網状体支持構造の要部拡大斜視図である。
【図１０】支持体の上方離脱防止突片部が後方突出状態である網状体支持構造の要部拡大正面図である。
【図１１】支持体の上方離脱防止突片部が後方突出状態である網状体支持構造のXI−XI要部拡大断面図である。
【発明を実施するための形態】
【００２１】
[1] 本発明の実施の形態を、図面を参照しつつ説明する。
【００２２】
(1) 図面は何れも本発明の実施の形態の一例としての支持体及び網状体支持構造に関するものである。
【００２３】
建築物の外壁Ａ（対象物）に固定された多数の支持体Ｂにより、多数の同一形状の長方形平板状の網状体Ｃがそれぞれ直立状に支持されて網状体支持構造を構成している。この例における外壁Ａの壁面は鉛直面である。
【００２４】
(2) 網状体Ｃは、ステンレス鋼製の３本の縦部材Ｃａ１−Ｃａ３（縦線材）と５本の横部材Ｃｂ１−Ｃｂ５（横線材）が正方形状の網目を構成する縦横対称状の直交格子状をなすように交差位置において溶接により接合されて長方形状の外形を有する平板状をなすものである。
【００２５】
この例では、何れも縦長姿勢（縦方向が上下方向となる姿勢）の３０枚の網状体Ｃが、対応する辺同士が一致するように（一方の辺の両端位置が他方の辺の両端位置に一致するように）接した状態で縦横３列１０行に隣接整列している。
【００２６】
各網状体Ｃは、３本の縦部材Ｃａ１−Ｃａ３のうち中央に位置する中央縦部材Ｃａ２と５本の横部材Ｃｂ１−Ｃｂ５のうち上から２番目及び４番目の横部材である第２横部材Ｃｂ２及び第４横部材Ｃｂ４のそれぞれとの交差箇所である所定箇所において、それぞれ支持体Ｂにより直立状に支持されている。
【００２７】
(3) 支持体Ｂは、ステンレス鋼板製であり、
後端部に直立し、上部中央部にやや横長の固定用孔Ｂ１ａを有する後部立板部Ｂ１（被固定部）と、
その後部立板部Ｂ１の下端から前方に向かって水平状に設けられた底板部Ｂ２（離隔部）と、
その底板部Ｂ２の前部中央部に形成され、前方に開口する前後方向切欠部Ｂ３と、
底板部Ｂ２の前端部における前後方向切欠部Ｂ３を挟む両側にそれぞれ直立する一対の前部立板部Ｂ４（前後方向保持部における後向保持部）と、
各前部立板部Ｂ４の外側縁の上部から上下切欠の括れ部Ｂ５を介して外方に突出した一対の上方離脱防止突片部Ｂ６（上方離脱防止部）
からなり、
前後方向切欠部Ｂ３の切欠底部Ｂ３ａは、前後方向保持部における前向保持部を構成し、切欠部の側縁部は、両側方向保持部を構成し、前後方向保持部は、一対の前部立板部Ｂ４と前後方向切欠部Ｂ３の切欠底部Ｂ３ａにより構成されている。
【００２８】
一対の前部立板部Ｂ４同士が相対する部分の上端部は、内方に向かって下降傾斜する角取り状に形成されている。
【００２９】
上方離脱防止突片部Ｂ６は、初期状態である外方突出状態から、括れ部Ｂ５において後向きに折り曲げて後方に突出した状態に変形（屈曲）させ、その変形状態を維持することができる。
【００３０】
(4) 支持体Ｂは合計６０個であり、１枚の網状体Ｃにつき、中央縦部材Ｃａ２に対応して上下直線上に並んだ２個の支持体Ｂが、それぞれ、底板部Ｂ２が下端部に位置して後部立板部Ｂ１の後面が外壁Ａに接した状態で、固定用孔Ｂ１ａに挿通されたボルト・ナットＴにより外壁Ａに対し固定されている。
【００３１】
上下に１０枚の網状体Ｃが隣接する列が３列隣接する３列１０行配列の網状体Ｃを支持するので、上下直線上に配置されて外壁Ａに固定された２０個の支持体Ｂからなる支持体Ｂ列が３列並列配置されることとなる。
【００３２】
１枚の網状体Ｃに対応する２個の支持体Ｂは、１枚の網状体Ｃにつき、中央縦部材Ｃａ２と第２横部材Ｃｂ２及び第４横部材Ｃｂ４のそれぞれとの交差箇所である所定箇所をそれぞれ支持し得る上下位置に配置される。
【００３３】
上下に隣接する網状体Ｃにおける上側の網状体Ｃに対応する下位置の支持体Ｂと、下側の網状体Ｃに対応する上位置の支持体Ｂは、上側の網状体Ｃの第４横部材Ｃｂ４と下側の網状体Ｃの第２横部材Ｃｂ２にそれぞれ対応する上下位置に配置される。
【００３４】
また、水平方向に隣接する網状体Ｃにそれぞれ対応する支持体Ｂは、一方の網状体Ｃの中央縦部材Ｃａ２と他方の網状体Ｃの中央縦部材Ｃａ２にそれぞれ対応する水平方向位置に配置される。
【００３５】
(5) 外壁Ａに固定された支持体Ｂによる各網状体Ｃの支持は、次のように行なわれる。
【００３６】
１枚の網状体Ｃを支持するための上下一対の支持体Ｂのそれぞれにおける一対の前部立板部Ｂ４の間に中央縦部材Ｃａ２が位置するようにして第２横部材Ｃｂ２及び第４横部材Ｃｂ４をそれぞれ一対の前部立板部Ｂ４（及び外方に突出した一対の上方離脱防止突片部Ｂ６）の上方又は前上方から底板部Ｂ２上へ移動させると同時に中央縦部材Ｃａ２を各前後方向切欠部Ｂ３の切欠底部Ｂ３ａに移動させる。
【００３７】
これにより、所定箇所である中央縦部材Ｃａ２と第２横部材Ｃｂ２及び第４横部材Ｃｂ４のそれぞれとの交差箇所において、第２横部材Ｃｂ２及び第４横部材Ｃｂ４（被支持部）はそれぞれ前後方向切欠部Ｂ３の両側方において底板部Ｂ２上に上向きに支持され、中央縦部材Ｃａ２（被支持部）は、各前後方向切欠部Ｂ３の切欠底部Ｂ３ａにより、前部立板部Ｂ４から切欠底部Ｂ３ａまでの前方離隔距離を隔てた位置に前向きに保持され且つ各前後方向切欠部Ｂ３により水平方向両側方向（右方及び左方）に保持され、更に、第２横部材Ｃｂ２及び第４横部材Ｃｂ４（被支持部）はそれぞれ一対の前部立板部Ｂ４により後向きに保持された状態となる。
【００３８】
この状態で、各上方離脱防止突片部Ｂ６を、外方突出状態から、括れ部Ｂ５において後向きに折り曲げて後方に突出した状態に変形させることにより、その変形が維持され、第２横部材Ｃｂ２及び第４横部材Ｃｂ４（被支持部）の上側は、それぞれ後方突出状態の各上方離脱防止突片部Ｂ６によって上方離脱が防がれ、網状体Ｃが上下一対の支持体Ｂにより前部立板部Ｂ４から所要の前方離隔距離を隔てた位置に容易且つ確実に直立状に支持されることとなる。
【００３９】
同様にして、各網状体Ｃを、順次、又は、一部若しくは全部同時に、対応する上下一対の支持体Ｂにより直立状に支持させることにより、３０枚の直立状の網状体Ｃが、対応する辺同士が一致するように接した状態で縦横３列１０行に隣接整列して外壁Ａに固定された支持体Ｂにより所要の前方離隔距離を隔てた位置に支持された網状体支持構造が容易且つ確実に得られる。
【００４０】
[2] 本発明の実施の形態を、上記以外の形態を含めて更に説明する。
【００４１】
本発明の支持体は、対象物に対し固定することにより網状体を直立状に支持し得るものである。
【００４２】
また本発明の網状体支持構造は、対象物における１又は２以上の位置にそれぞれ固定された１又は２以上の支持体により網状体が直立状又は急傾斜状に支持されてなるものである。
【００４３】
(1) 支持体が固定される対象物は、一般的には、各種建築物若しくは建築物以外の各種構造物の外壁若しくはその他の部分、特に鉛直面を含む部分若しくは急傾斜面を含む部分である。また、対象物は人工物に限るものではなく、また必ずしも土地の定着物に限らない。
【００４４】
(2) 支持体により支持する網状体としては、実質上非可撓性であるもの等の形態維持性を有するものを用いることができる。
【００４５】
網状体は、全部又は主要部が直交格子状をなす縦部と横部からなるもの、すなわち正方形又は長方形状の網目を構成するものが好ましい。この場合の縦部と横部は、それぞれ縦部材と横部材が交差位置において溶接若しくはその他の手段により接合されたものや編まれたものの他、縦部と横部が一体状をなすものも含む。尤も、網状体は、全部又は主要部が方形以外の形状（例えば亀甲状）の網目を構成するものとすることもできる。
【００４６】
網状体は、外形が方形状であるものが好ましい。外形が方形状の網状体は、例えば、複数の網状体を隣接させた状態で支持体により支持する上で好ましい。前記のように全部又は主要部が直交格子状をなす縦部と横部からなるものにおいては、前記縦部と横部にそれぞれ平行な外周縁部からなる方形状をなすものであることが好ましい。尤も、網状体の外形は必ずしも方形状に限るものではない。
【００４７】
網状体は、平板状であるものを用いることができるが、必ずしも平板状に限るものではない。
【００４８】
網状体は、鋼（ステンレス鋼を含む。以下同じ。）製の線材又はその他の形態維持性を有する線材からなるものの他、鋼製の又はその他の板状材料からなるエキスパンドメタル状のもの、鋼又はその他の材料を網状に一体成形したもの等を例示することができるが、これらに限られるものではない。
【００４９】
(3) 支持体は、対象物に固定される又は固定された被固定部と、その被固定部から所要の前方離隔距離を隔てた位置に前記網状体の所定箇所を支持するための網状体支持部を有する。
【００５０】
(3-1) 支持体の被固定部は、対象物に固定されるもの又は対象物に固定されたものである。
【００５１】
支持体は、一般には対象物とは別体であるが、支持体の被固定部において支持体と対象物が一体状をなすものとすることもできる。なお、被固定部は、例えば、網状体支持部に対し上方、下方又は側方に突設されたものとすることができる。
【００５２】
被固定部を対象物に固定する手段は適宜選択し得る。例えば、ボルト・ナット、タッピングネジ、アンカーボルト等の締結具、溶接、その他の固定具により固定し得る。被固定部は、固定のための必要に応じ、ボルトやタッピングネジやアンカーボルト等を挿通するための１又は２以上の孔や、その他の構造を備えたものとすることができる。
【００５３】
(3-2) 支持体の網状体支持部は、被固定部から所要の前方離隔距離を隔てた位置に網状体の所定箇所を支持するためのものである。
【００５４】
網状体支持部と被固定部は、例えば、被固定部から所要の前方離隔距離を隔てるための離隔部を介して連結されているものとすることができる。
【００５５】
(3-3) 支持体の網状体支持部は、
直立状の網状体における前記所定箇所における被支持部を上向きに支持するための上向き支持部と、
その上向き支持部により網状体の前記所定箇所における被支持部が上向きに支持された状態において、
網状体の前記所定箇所における被支持部を前後方向に保持するための前後方向保持部、
網状体の前記所定箇所における被支持部を水平方向両側方向に保持するための両側方向保持部、及び、
網状体の前記所定箇所における被支持部の上方離脱を防ぎ得るように変形し得ると共にその変形状態を維持し得、前記変形前には、前記所定箇所における被支持部が上向き支持部に上向きに支持されるように上方から配置されることを妨げない上方離脱防止部を有する。
【００５６】
上向き支持部は、例えば、直立状の網状体における水平方向に伸びる部分又は同等の高さ位置である複数箇所を上向きに支持し得る部分（例えば水平面部又は水平面に沿った複数の部分）とすることができる。
【００５７】
前後方向保持部は、上向き支持部により網状体の前記所定箇所における被支持部が上向きに支持された状態において、例えば、直立状の網状体における所定の部分の前方移動及び後方移動を防ぐ（又は一定以下に防ぐ）前方移動阻止部及び後方移動阻止部、或いは、直立状の網状体における所定の部分の前方移動を防ぐ（又は一定以下に防ぐ）前方移動阻止部及びその網状体の他の所定部分の後方移動を防ぐ（又は一定以下に防ぐ）後方移動阻止部とすることができる。このような前方移動阻止部及び後方移動阻止部は、例えば、壁状部、突起部、網状体の一部が嵌合する凹部若しくは切欠部等とすることができる。
【００５８】
両側方向保持部は、上向き支持部により網状体の前記所定箇所における被支持部が上向きに支持された状態において、例えば、直立状の網状体における所定の部分の右側方移動及び左側方移動を防ぐ（又は一定以下に防ぐ）右側方移動阻止部及び左側方移動阻止部、或いは、直立状の網状体における所定の部分の右側方移動を防ぐ（又は一定以下に防ぐ）右側方移動阻止部及びその網状体の他の所定部分の左側方移動を防ぐ（又は一定以下に防ぐ）左側方移動阻止部とすることができる。このような右側方移動阻止部及び左側方移動阻止部は、例えば、壁状部、突起部、網状体の一部が嵌合する凹部若しくは切欠部等とすることができる。
【００５９】
上方離脱防止部は、上向き支持部により網状体の前記所定箇所における被支持部が上向きに支持された状態において、例えば、変形（例えば屈曲）させることにより、直立状の網状体における水平方向に伸びる部分又は同等の高さ位置である複数箇所を上方離脱を防ぎ得ると共にその変形状態を維持し得る部分とすることができる。
【００６０】
而も、上方離脱防止部は、前記変形（例えば屈曲）前には、前記所定箇所における被支持部が上向き支持部に上向きに支持されるように上方から配置されることを妨げないものであることを要する。
【００６１】
このような上方離脱防止部は、例えば、屈曲可能な突起部若しくは壁状部、又は、網状体の一部が嵌合する凹部若しくは切欠部を備えた屈曲可能な部分等とすることができる。
【００６２】
(4) 網状体支持構造
【００６３】
(4-1) 網状体支持構造は、対象物における１又は２以上の位置にそれぞれ固定された１又は２以上の支持体により網状体が直立状又は急傾斜状に支持されてなるものである。
【００６４】
(4-2) 支持体は、対象物と別体のものが対象物に固定されたものとすることができる他、対象物と一体状をなすものも含む。支持体の数は、一般的には２以上である。
【００６５】
(4-3) 前記１又は２以上の支持体により、網状体が直立状又は急傾斜状（好ましくは水平方向に対し７０度以上、例えば４５度以上若しくは６０度以上）に支持されている。
【００６６】
網状体は、１又は２以上とすることができる。２以上の網状体は、それぞれ１又は２以上の支持体により支持される。
【００６７】
網状体が２以上である場合は、互いに同一形状の網状体であることが好ましいが、必ずしもこれに限るものではない。
【００６８】
２以上の網状体は、それらの外周縁同士が接するように隣接配列したものとすることができる（但し、これに限るものではない。）。例えば、方形状をなす平板状の同一の２以上の網状体を支持体により支持する場合は、対応する辺同士が一致するように（一方の網状体の辺の両端位置が他方の網状体の辺の両端位置に一致するように）接した状態で縦横複数列複数行（或いは縦一列又は横一行）に隣接整列したものとすることができる。
【００６９】
(4-4) 各支持体は、対象物に固定された被固定部と、前記直立状又は急傾斜状の網状体における各所定箇所を前記被固定部から所要の前方離隔距離を隔てた位置において支持するための網状体支持部を有する。
【００７０】
(4-5) 対象物における１又は２以上の位置にそれぞれ固定された前記１又は２以上の支持体において、
前記各上向き支持部により前記各所定箇所における被支持部が上向きに支持され、
前記各前後方向保持部により前記各所定箇所における被支持部が前後方向に保持され、
前記各両側方向保持部により前記各所定箇所における被支持部が水平方向両側方向に保持され、
前記各上方離脱防止部が変形してその変形状態を維持することにより前記各所定箇所における被支持部の上方離脱が防がれることにより、
前記１又は２以上の支持体によって前記網状体が直立状又は急傾斜状に支持されている。
【００７１】
直立状又は急傾斜状の網状体における各所定箇所は、
上向き支持部により支持される被支持部と、
前後方向保持部により前後方向に保持される被支持部と、
両側方向保持部により水平方向両側方向に保持される被支持部と、
上方離脱防止部が変形してその変形状態を維持することにより上方離脱が防がれる被支持部を、
互いに別個の被支持部として又は何れか同士が全部若しくは一部重複した被支持部として有するものとすることができる。
【００７２】
例えば、
網状体が、全部又は主要部が直交格子状をなす縦部と横部からなる形態維持性を有する平板状体であり、
上記全て又は一部の所定箇所が、前記縦部と横部が直交状に交差した箇所（前記縦部と横部が直交状に交差した位置の近傍部を含む）であり、
上記両側方向保持部により水平方向両側方向に保持される被支持部、及び、上記前後方向保持部により前向きに保持される被支持部が、前記所定箇所における縦部であり、
上記上向き支持部により上向きに支持される被支持部、上記前後方向保持部により後向きに保持される被支持部、及び、上記上方離脱防止部が変形してその変形状態を維持することにより上方離脱が防がれる被支持部が、前記所定箇所における横部であるものとすることができる。
【符号の説明】
【００７３】
Ａ              外壁
Ｂ              支持体
Ｂ１            後部立板部
Ｂ１ａ          固定用孔
Ｂ２            底板部
Ｂ３            前後方向切欠部
Ｂ３ａ          切欠底部
Ｂ４            前部立板部
Ｂ５            括れ部
Ｂ６            上方離脱防止突片部
Ｃ              網状体
Ｃａ１−Ｃａ３  縦部材
Ｃａ２          中央縦部材
Ｃｂ１−Ｃｂ５  横部材
Ｃｂ２          第２横部材
Ｃｂ４          第４横部材
Ｔ              ボルト・ナット
【図１】
2017035027.tif 000003
【図２】
2017035027.tif 000004
【図３】
2017035027.tif 000005
【図４】
2017035027.tif 000006
【図５】
2017035027.tif 000007
【図６】
2017035027.tif 000008
【図７】
2017035027.tif 000009
【図８】
2017035027.tif 000010
【図９】
2017035027.tif 000011
【図１０】
2017035027.tif 000012
【図１１】
2017035027.tif 000013